(57)【特許請求の範囲】
【請求項１】
フレキシブルチューブ本体と、前記チューブ本体の両端の開口部のうち、一方の開口部側のみにあって、その開口部を扁平状に押し潰したときに、その押し潰しによって重ね合わされるチューブ部分を開閉自在に結合する直径方向に対向する位置に付設されるホックとから成り、両端部の２ヶ所の切れ込みにより形成される２つの係止帯片が無いものであることを特徴とする保護カバー。
【請求項２】
アルミ箔、ガラスクロス、断熱ペーパーを積層してなるシート素材を用い、これを波付きチューブ状に圧縮成形したフレキシブルチューブ本体と、前記チューブ本体の少なくとも一方の開口部側にあって、その開口部を扁平状に押し潰したときに、その押し潰しによって重ね合わされるチューブ部分を開閉自在に結合する直径方向に対向する位置に付設されるホックとから成ることを特徴とする保護カバー。
【請求項３】
前記フレキシブルチューブ本体に、ガラス編組スリーブを用い、このスリーブを内側に折り返して二重スリーブとなし、そのスリーブの切断端部を内側に折り返し、ほつれ防止の縫糸で縫合して形成したものである請求項１又は２に記載の保護カバー。
【請求項４】
前記フレキシブルチューブ本体に、ガラス等の無機質繊維クロスからなる矩形状シート素材を用い、これを丸めて端部を重ね合わせ、重ね合わせた部分を縫製したもの、または矩形状シート素材の長辺方向の両端部に簡易接続具を設け、これを丸めて端部を接続したものである請求項１又は２に記載の保護カバー。
【発明の詳細な説明】
【０００１】
【発明の属する技術分野】
本発明は、ケーブル、金属配管、ホース、機能部品等の被覆材を用いた好適な保護カバーに関する。
【０００２】
【従来の技術】
従来、ケーブル、金属配管、ホース、機能部品等（以下ケーブル等とする）を熱害、風喰、水害など（外部要因）から守るため、またケーブル等から発生する熱害防止、防音の目的など（内部要因）に被覆材が使用されている。
【０００３】
この種の被覆材はケーブル等に取り付けた後固定する必要がある場合がある。このような場合、被覆材を固定する手段としては、一般的にホースバンド、クランプ、粘着テープ等が多用されている。
【０００４】
【発明が解決しようとする課題】
上記被覆材をケーブル等に組み付けて固定する工程が後工程の場合、被覆材を取り付けて固定する作業が困難な場合がある。
【０００５】
例えば、片手しか入らないような狭い所にケーブル等がある場合、前記ホースバンドで固定するにはホースバンドを押さえながらドライバーなどで締め付け作業は困難であり、締め付けるのに時間がかかる。
【０００６】
また、前記クランプを用いて固定するには、クランプを片手で固定できるが、クランプを止める位置がずれる可能性がある。
【０００７】
また、前記粘着テープを用いて被覆材に巻き付ける場合、その巻き付け作業は困難であり、巻き付けるのに時間がかかるばかりでなく、巻き付ける際に粘着テープがよじれて巻き付け後の見栄えが悪くなる。
【０００８】
本発明は、上記問題を解消するためになされたものであって、狭いところでも片手で短時間に被せて固定できるようにした保護カバーを提供することを主たる目的としている。
【０００９】
【課題を解決するための手段】
上記目的を達成するため、本発明による保護カバーは、フレキシブルチューブ本体と、前記チューブ本体の両端の開口部のうち、一方の開口部側のみにあって、その開口部を扁平状に押し潰したときに、その押し潰しによって重ね合わされるチューブ部分を開閉自在に結合する直径方向に対向する位置に付設されるホックとから成り、両端部の２ヶ所の切れ込みにより形成される２つの係止帯片が無いものであることを要旨としている。また、本発明による保護カバーは、アルミ箔、ガラスクロス、断熱ペーパーを積層してなるシート素材を用い、これを波付きチューブ状に圧縮成形したフレキシブルチューブ本体と、前記チューブ本体の少なくとも一方の開口部側にあって、その開口部を扁平状に押し潰したときに、その押し潰しによって重ね合わされるチューブ部分を開閉自在に結合する直径方向に対向する位置に付設されるホックとから成ることを要旨としている。
【００１０】
【発明の実施の形態】
本発明の好ましい実施の形態としては、図１〜図４に示すように、保護カバーを構成するフレキシブルチューブ本体Ａ１は、アルミ箔−ガラスクロス−アルミ箔−ガラスクロス−断熱ペーパーを組み合わせて積層したシート素材を用い、これを波付きチューブ状に圧縮成形し、そのチューブの一方の開口部には、その開口部を扁平状に押し潰したときに、その押し潰しによって重ね合わされたチューブ部分を開閉自在に結合するホック１ａ，１ｂを取り付けて構成する。
【００１１】
【実施例】
図１〜図４に、本発明の第１実施例を示す。
本実施例では、保護カバーを構成するフレキシブルチューブ本体Ａ１は、外側からアルミ箔−ガラスクロス−アルミ箔−ガラスクロス−断熱ペーパー（２層）を組み合わせて積層し、波付きチューブ状に圧縮成形している。このフレキシブルチューブ本体Ａ１の一方の開口部には、直径方向に対向するチューブ部分にホック１ａ，１ｂが係止具として取り付けられている。
前記ホック１ａ，１ｂによる係合具は、フレキシブルチューブ本体の両開口部に設けてもよい。
【００１２】
上記構成の保護カバーの使用例を、図５に示す。図中、２はエンジン部、３はエンジン部の外側に設けられたノックセンサー、４はノックセンサーから引き出されたケーブルである。
【００１３】
前記使用例に示すように、本発明による保護カバーは、フレキシブルチューブ本体Ａ１をノックセンサー３に被せたあと、ホック側の開口部を扁平状に押し潰すことにより、その押し潰しによって重ね合わされたチューブ部分はホック１ａ，１ｂによって結合される。
【００１４】
したがって、上記構成の保護カバーの使用によれば、狭い所でも片手で短時間にフレキシブルチューブ本体を被せて固定することができる。また、ホック１ａ，１ｂで結合されたチューブで開口部分によってチューブの位置ずれ防止も可能となる。
【００１５】
図６〜図８に、本発明の第２実施例を示す。本実施例では、フレキシブルチューブ本体Ａ２は、ガラス編組体スリーブを用い、このスリーブを内側に折り返して二重スリーブとなし、そのスリーブの切断側端部を更に内側に折り返し、ほつれ防止の縫糸５で縫合して形成している。このフレキシブルチューブ本体Ａ２の折り込み側開口部には、直径方向に対向するチューブ部分にホック１ａ，１ｂが係止具として取り付けられている。
【００１６】
図９〜図１０に、本発明の第３実施例を示す。本実施例では、フレキシブルチューブ本体Ａ３は、アルミ箔の裏側にガラス繊維クロスを貼り付けた矩形状の長辺方向の両端部に面ファスナー等の簡易接続具６を設けたシート素材を用い、これを丸めて、端部を接続してフレキシブルチューブを形成する。このフレキシブルチューブ本体Ａ３の一方の開口部には、直径方向に対向するチューブ部分に面ファスナー７ａ，７ｂが係止具として取り付けられている。
【００１７】
上記に挙げた第２実施例および第３実施例の保護カバーにあっても、第１実施例のものと同様に、狭い所で片手で短時間にフレキシブルチューブ本体をケーブル等に被せて固定することができる。
【００１８】
【発明の効果】
以上詳述したように、本発明による保護カバーは、ケーブル、金属配管、ホース、機能部品等の被覆材に用いて、下記の効果が得られる。
１）片手で保護カバーを被せて固定することができる。
２）隙間の狭い所でも片手が入れば、被せて固定可能である。
３）固定位置のずれをなくすことができる。
４）組み付け性の向上が図れる。即ち、保護カバーを被せて固定する時間を短縮できる。
【図面の簡単な説明】
【図１】本発明の第１実施例を示す保護カバーの側面図である。
【図２】フレキシブルチューブ本体の開口部を係止具で閉じた状態の断面図である。
【図３】図２の断面図である。
【図４】保護カバーの正面図である。
【図５】保護カバーの使用例を示す断面図である。
【図６】本発明の第２実施例を示す保護カバーの側面図である。
【図７】図６の断面図である。
【図８】フレキシブルチューブ本体の開口部を係止具で閉じた状態の断面図である。
【図９】本発明の第３実施例を示す保護カバーの斜視図である。
【図１０】フレキシブルチューブ本体の開口部を係止具で閉じた状態の断面図である。
【符号の説明】
Ａ１，Ａ２，Ａ３  保護カバーのフレキシブルチューブ本体
１ａ，１ｂ  ホック
２  エンジン部
３  ノックセンサー
４  ケーブル
５  縫糸
６  簡易接続具
７ａ，７ｂ  面ファスナー
【図１】
0003621287.tif 000002
【図２】
0003621287.tif 000003
【図３】
0003621287.tif 000004
【図４】
0003621287.tif 000005
【図５】
0003621287.tif 000006
【図６】
0003621287.tif 000007
【図７】
0003621287.tif 000008
【図８】
0003621287.tif 000009
【図９】
0003621287.tif 000010
【図１０】
0003621287.tif 000011